【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
１画面を所定サイズに分割した符号化ブロックを、該画面の水平方向へのスキャンを垂直方向に繰り返してスキャンして画像データの量子化を行い、該量子化の結果の量子化値を符号化すると共に、該量子化に用いた量子化パラメータの該符号化ブロックのスキャン順に従った差分を符号化する符号化装置であって、
１画面の画像データを前記符号化ブロック単位に分割し、前記スキャン順が連続する複数の該符号化ブロックからなる符号化グループを単位として振り分けて出力する分割手段と、
前記分割手段が振り分けて出力した各符号化グループの画像データを、互いに並列的に、前記符号化ブロック単位で量子化パラメータを用いて量子化する複数の量子化手段と、
前記符号化ブロックについて、前記量子化手段が該符号化ブロックに対する量子化に用いた量子化パラメータと、該符号化ブロックに対して前記スキャン順で直前の前記符号化ブロックに対する量子化に用いた量子化パラメータとの差分を算出する複数の差分算出手段と、
前記複数の量子化手段による前記量子化の結果の量子化値と、前記複数の差分算出手段により算出された前記差分とを符号化して出力する符号化手段と、
前記複数の量子化手段が前記量子化に用いた量子化パラメータを保持する保持手段と、
前記量子化手段が量子化する符号化グループの中の前記スキャン順で後端の符号化ブロックの量子化に用いる量子化パラメータとして、前記保持手段に保持された、既に量子化が終了している所定の位置の符号化ブロックの量子化に用いた量子化パラメータを適用する量子化制御手段と
を備える
ことを特徴とする符号化装置。
【請求項２】
前記量子化制御手段は、
前記後端の符号化ブロックの量子化に用いる量子化パラメータとして、
前記保持手段に保持された、前記画面に先行して符号化された異なる画面における該後端の符号化ブロックと位置が対応する符号化ブロックの量子化に用いた量子化パラメータを適用する
ことを特徴とする請求項１に記載の符号化装置。
【請求項３】
前記量子化制御手段は、前記後端の符号化ブロックの量子化に用いる量子化パラメータとして、
前記保持手段に保持された、前記画面に先行して符号化された異なる画面における該後端の符号化ブロックと位置が対応する符号化ブロックの量子化に用いた量子化パラメータと、前記異なる画面において該位置が対応する符号化ブロックの近傍に位置する符号化ブロックの量子化に用いた量子化パラメータとに基づき生成した値を適用する
ことを特徴とする請求項１に記載の符号化装置。
【請求項４】
前記符号化ブロックは、時間的な参照関係が異なる複数の予測符号化のタイプの何れかが設定され、
前記量子化制御手段は、前記後端の符号化ブロックの量子化に用いる量子化パラメータとして、
前記保持手段に保持された、前記画面に先行して符号化された異なる画面における該後端の符号化ブロックと位置および前記予測符号化のタイプがいずれも対応する符号化ブロックの量子化に用いた量子化パラメータを適用する
ことを特徴とする請求項１乃至請求項３の何れか１項に記載の符号化装置。
【請求項５】
前記量子化制御手段は、前記量子化手段が前記後端の符号化ブロックの量子化に用いる量子化パラメータとして、
前記保持手段に保持された、前記画面内の該後端の符号化ブロックが含まれる符号化グループに対して前記スキャン順で直後の符号化グループの前端の符号化ブロックの量子化に用いた量子化パラメータを適用する
ことを特徴とする請求項１に記載の符号化装置。
【請求項６】
前記量子化制御手段は、
他の前記量子化手段が、前記量子化手段が量子化を行う符号化ブロックが含まれる符号化グループに対して前記スキャン順で直後の符号化グループにおいて、前記スキャン順で前端の符号化ブロックの量子化に用いる量子化パラメータとして、
前記保持手段に保持された、前記画面に先行して符号化された異なる画面における該前端の符号化ブロックと位置が対応する符号化ブロックの量子化に用いた量子化パラメータを適用する
ことを特徴とする請求項１または請求項５に記載の符号化装置。
【請求項７】
前記量子化制御手段は、
前記画面を分割した符号化ブロックのうち前記スキャン順が最も早い符号化ブロックの量子化に用いる量子化パラメータとして、予め決められた量子化パラメータを適用する
ことを特徴とする請求項５または請求項６に記載の符号化装置。
【請求項８】
前記符号化ブロックは、時間的な参照関係が異なる複数の予測符号化のタイプの何れかが設定され、
前記量子化制御手段は、前記符号化グループの中の前記スキャン順で前端の符号化ブロックの量子化に用いる量子化パラメータとして、
前記保持手段に保持された、前記画面に先行して符号化された異なる画面における該前端の符号化ブロックと位置および前記予測符号化のタイプがいずれも対応する符号化ブロックの量子化に用いた量子化パラメータを適用する
ことを特徴とする請求項５乃至請求項７の何れか１項に記載の符号化装置。
【請求項９】
１画面を所定サイズに分割した符号化ブロックを、該画面の水平方向へのスキャンを垂直方向に繰り返してスキャンして画像データの量子化を行い、該量子化の結果の量子化値を符号化すると共に、該量子化に用いた量子化パラメータの該符号化ブロックのスキャン順に従った差分を符号化する符号化方法であって、
前記符号化方法を実行する装置の分割手段が、１画面の画像データを前記符号化ブロック単位に分割し、前記スキャン順が連続する複数の該符号化ブロックからなる符号化グループを単位として振り分けて出力する分割ステップと、
前記装置の量子化手段が、前記分割ステップにおいて振り分けて出力した各符号化グループの画像データを、互いに並列的に、前記符号化ブロック単位で量子化パラメータを用いて量子化する複数の量子化ステップと、
前記装置の差分算出手段が、前記符号化ブロックについて、前記量子化ステップにおいて該符号化ブロックに対する量子化に用いた量子化パラメータと、該符号化ブロックに対して前記スキャン順で直前の前記符号化ブロックに対する量子化に用いた量子化パラメータとの差分を算出する複数の差分算出ステップと、
前記装置の符号化手段が、前記複数の量子化ステップにおける前記量子化の結果の量子化値と、前記複数の差分算出ステップにおいて算出された前記差分とを符号化して出力する符号化ステップと、
前記装置の保持手段が、前記複数の量子化ステップにおいて前記量子化に用いた量子化パラメータを保持手段に保持する保持ステップと、
前記装置の量子化制御手段が、前記量子化ステップにおいて量子化する符号化グループの中の前記スキャン順で後端の符号化ブロックの量子化に用いる量子化パラメータとして、前記保持手段に保持された、既に量子化が終了している所定の位置の符号化ブロックの量子化に用いた量子化パラメータを適用する量子化制御ステップと
を備える
ことを特徴とする符号化方法。
【請求項１０】
コンピュータを請求項１乃至８の何れか１項に記載の符号化装置の各手段として機能させるためのプログラム。
【手続補正２】
【補正対象書類名】明細書
【補正対象項目名】００１２
【補正方法】変更
【補正の内容】
【００１２】
本発明は、上述した課題を解決するために、１画面を所定サイズに分割した符号化ブロックを、画面の水平方向へのスキャンを垂直方向に繰り返してスキャンして画像データの量子化を行い、量子化の結果の量子化値を符号化すると共に、量子化に用いた量子化パラメータの符号化ブロックのスキャン順に従った差分を符号化する符号化装置であって、１画面の画像データを符号化ブロック単位に分割し、スキャン順が連続する複数の符号化ブロックからなる符号化グループ単位で振り分けて出力する分割手段と、分割手段が振り分けて出力した各符号化グループの画像データを、互いに並列的に、符号化ブロック単位で量子化パラメータを用いて量子化する複数の量子化手段と、符号化ブロックについて、量子化手段が該符号化ブロックに対する量子化に用いた量子化パラメータと、符号化ブロックに対してスキャン順で直前の符号化ブロックに対する量子化に用いた量子化パラメータとの差分を算出する複数の差分算出手段と、複数の量子化手段による量子化の結果の量子化値と、複数の差分算出手段により算出された差分とを符号化して出力する符号化手段と、複数の量子化手段が量子化に用いた量子化パラメータを保持する保持手段と、量子化手段が量子化する符号化グループの中のスキャン順で後端の符号化ブロックの量子化に用いる量子化パラメータとして、保持手段に保持された、既に量子化が終了している所定の位置の符号化ブロックの量子化に用いた量子化パラメータを適用する量子化制御手段とを備え、量子化制御手段は、量子化手段が量子化を開始する前に、量子化手段に対する、保持手段に保持された、符号化が終了した画面の符号化ブロックの量子化に用いた量子化パラメータの適用を行うことを特徴とする符号化装置である。
【手続補正３】
【補正対象書類名】明細書
【補正対象項目名】００１３
【補正方法】変更
【補正の内容】
【００１３】
また、本発明は、１画面を所定サイズに分割した符号化ブロックを、画面の水平方向へのスキャンを垂直方向に繰り返してスキャンして画像データの量子化を行い、量子化の結果の量子化値を符号化すると共に、量子化に用いた量子化パラメータの符号化ブロックのスキャン順に従った差分を符号化する符号化方法であって、符号化方法を実行する装置の分割手段が、１画面の画像データを符号化ブロック単位に分割し、スキャン順が連続する複数の符号化ブロックからなる符号化グループ単位で振り分けて出力する分割ステップと、装置の量子化手段が、分割ステップにおいて振り分けて出力した各符号化グループの画像データを、互いに並列的に、符号化ブロック単位で量子化パラメータを用いて量子化する複数の量子化ステップと、装置の差分算出手段が、符号化ブロックについて、量子化ステップにおいて該符号化ブロックに対する量子化に用いた量子化パラメータと、該符号化ブロックに対してスキャン順で直前の符号化ブロックに対する量子化に用いた量子化パラメータとの差分を算出する複数の差分算出ステップと、装置の符号化手段が、複数の量子化ステップにおける量子化の結果の量子化値と、複数の差分算出ステップにおいて算出された差分とを符号化して出力する符号化ステップと、装置の保持手段が、複数の量子化ステップにおいて量子化に用いた量子化パラメータを保持手段に保持する保持ステップと、装置の量子化制御手段が、量子化ステップにおいて量子化する符号化グループの中のスキャン順で後端の符号化ブロックの量子化に用いる量子化パラメータとして、保持手段に保持された、既に量子化が終了している所定の位置の符号化ブロックの量子化に用いた量子化パラメータを適用する量子化制御ステップとを備えることを特徴とする符号化方法である。